(57)【要約】  【課題】  ディスクを回転させる場合よりも高速の書き込み及び／又は読み取りを行うことができるディスク装置を提供する。  【解決手段】  ディスクＡが装着されるディスク装着部２１と、前記ディスクＡにデータの書き込み及び／又は読み取りを行う光ヘッド３と、該光ヘッド３を支持した支持体４とを備えており、該支持体４を前記ディスク装着部２１と直交的な軸線を中心として回転可能とし、該支持体４を回転させる電動モータ５を設け、さらに前記光ヘッド３を前記支持体４の回転中心線と交差する方向に移動可能とし、該光ヘッド３を移動させる移動機構６を前記支持体４に設け、ディスクＡに対して光ヘッド３を回転させるようにした。【選択図】        図１
2005174373.tif 000002
【特許請求の範囲】
【請求項１】
ディスクが装着されるディスク装着部と、前記ディスクにデータの書き込み及び／又は読み取りを行う光ヘッドと、該光ヘッドを支持した支持体とを備えたディスク装置において、前記支持体は前記ディスク装着部と直交的な軸線を中心として回転可能としてあり、該支持体を回転させる駆動手段を備えていることを特徴とするディスク装置。
【請求項２】
前記ディスク装着部は前記支持体の回転中心線と交差する方向へ移動可能としてあり、該ディスク装着部を移動させる移動手段を備えている請求項１記載のディスク装置。
【請求項３】
前記光ヘッドは前記支持体の回転中心線と交差する方向へ移動可能としてあり、前記支持体は前記光ヘッドを移動させる移動機構を備えている請求項１又は２記載のディスク装置。
【請求項４】
前記移動機構は前記光ヘッドの移動に連動して該光ヘッドと逆方向へ移動する錘を備えている請求項１乃至３の何れか１つに記載のディスク装置。
【請求項５】
前記移動機構は回転が可能であり、その両端部に螺旋方向が逆となるねじ部を夫々有するねじ軸を備えており、このねじ軸の一方のねじ部に前記光ヘッドが相対回転可能に螺着され、他方のねじ部に前記錘が相対回転可能に螺着されている請求項４記載のディスク装置。
【請求項６】
前記ディスク装着部は前記支持体の回転方向と逆方向へ回転可能としてあり、該ディスク装着部を回転させる回転手段を備えている請求項１乃至５の何れか１つに記載のディスク装置。
【発明の詳細な説明】
【技術分野】
【０００１】
本発明はコンパクトディスク（ＣＤ）、デジタルバーサタイルディスク（ＤＶＤ）、ＤＶＤライター、ミニディスク（ＭＤ）等のディスク装置に関する。
【背景技術】
【０００２】
ＤＶＤライター等のディスク装置は、モータ軸の端部にディスク装着部を有する電動モータと、前記ディスクにデータの書き込み及び／又は読み取りを行う光ヘッドと、該光ヘッドをディスクの径方向にトラバース動作させるトラバース機構と、該トラバース機構及び前記電動モータを支持した支持体とを備えており、前記電動モータの駆動によりディスクＡを回転させ、該ディスクに対して前記光ヘッドをディスクの半径方向へ移動させるように構成されている（例えば、特許文献１）。
【０００３】
このように構成されたディスク装置においては、記録すべきデータに対応して変調された光ビームを光ヘッドの対物レンズに通し、光スポットに集光してディスク表面に形成された同心円状の記録トラック上に投射し、該記録トラック上に反転磁区である記録マークを形成することで記録を行い、また、ディスク表面からの反射光を対物レンズで集光して取り出し、これをデータに変換処理することで再生を行っている。
【０００４】
ディスク装置に使用されるディスクは、同心円状の記録トラックが設けられた1.2 mm程度に薄いプラスチック板からなり、このディスクの中心部が電動モータのディスク装着部に装着されており、モータ軸と一体回転する。
【特許文献１】特開平４−６１０５９号公報
【発明の開示】
【発明が解決しようとする課題】
【０００５】
ところで、以上のようにディスクを回転させてデータの書き込み及び／又は読み取りを行うディスク装置において、書き込み速度を高速化するためにはディスクを高速回転させる必要がある。ところが、ディスクはプラスチック板からなり、このディスクが回転するため、ディスク自体の反り、記録トラックの偏心等による不均一性によりディスクが振動し、性能の低下を来すことになると言う問題があり、また、ディスクの回転速度が速くなるに従ってディスクに加わる遠心力が大きくなり、この遠心力によりディスクが自己破壊することになるため、書き込み速度の高速化には限界がある。
【０００６】
本発明は斯かる事情に鑑みてなされたものであり、主たる目的はディスク装着部を非回転とし、光ヘッドを支持した支持体を回転させる構成としたことにより、ディスクを回転させる場合よりも高速の書き込み及び／又は読み取りを行うことができるディスク装置を提供することにある。
【０００７】
また、他の目的はディスク装着部を前記支持体の回転中心線と交差する方向へ移動させるように構成したことにより、支持体の回転中心とディスクの記録トラック中心とを簡易に一致させることができるディスク装置を提供することにある。
【０００８】
また、他の目的は光ヘッドを前記支持体の回転中心線と交差する方向へ移動させるように構成したことにより、ディスク装置全体の小形化を図ることができるディスク装置を提供することにある。
【０００９】
また、他の目的は光ヘッドの移動に連動して該光ヘッドと逆方向へ移動する錘を前記移動機構に設けたことにより、書き込み及び／又は読み取り時の振動を低減できるディスク装置を提供することにある。
【００１０】
また、他の目的はその両端部に螺旋方向が逆となるねじ部を有するねじ軸の一方のねじ部に光ヘッドを相対回転可能に螺着し、他方のねじ部に錘を相対回転可能に螺着したことにより、支持体を回転させる駆動手段の負荷を低減できるディスク装置を提供することにある。
【００１１】
また、他の目的はディスク装着部を前記支持体の回転方向と逆方向へ回転させるように構成したことにより、光ヘッドによる書き込み及び／又は読み取り速度をより一層高速にできるディスク装置を提供することにある。
【課題を解決するための手段】
【００１２】
本発明に係るディスク装置は、ディスクが装着されるディスク装着部と、前記ディスクにデータの書き込み及び／又は読み取りを行う光ヘッドと、該光ヘッドを支持した支持体とを備えたディスク装置において、前記支持体は前記ディスク装着部と直交的な軸線を中心として回転可能としてあり、該支持体を回転させる駆動手段を備えていることを特徴とする。
【００１３】
この発明にあっては、ディスクよりも剛性及び加工精度を高めることができる光ヘッドの支持体を回転させるため、ディスクの自己破壊回転数よりも高い回転数で光ヘッドを回転させることができ、ディスクを回転させる場合よりも高速の書き込み及び／又は読み取りを行うことができる。
【００１４】
また、本発明に係るディスク装置は、前記ディスク装着部は前記支持体の回転中心線と交差する方向へ移動可能としてあり、該ディスク装着部を移動させる移動手段を備えていることを特徴とする。
【００１５】
この発明にあっては、ディスク装着部を移動させることによりディスクの記録トラックの中心位置を調整することができるため、支持体の回転中心と前記記録トラックの中心とを簡易に一致させることができ、光ヘッドの書き込み及び／又は読み取り性能を高めることができる。
【００１６】
また、本発明に係るディスク装置は、前記光ヘッドは前記支持体の回転中心線と交差する方向へ移動可能としてあり、前記支持体は前記光ヘッドを移動させる移動機構を備えていることを特徴とする。
【００１７】
この発明にあっては、光ヘッドを回転させる支持体が移動機構を備えているため、ディスクを回転させる電動モータとは別個に光ヘッドを移動させる移動機構が設けられる場合に比べてディスク装置全体の小形化を図ることができる。
【００１８】
また、本発明に係るディスク装置は、前記移動機構は前記光ヘッドの移動に連動して該光ヘッドと逆方向へ移動する錘を備えていることを特徴とする。
【００１９】
この発明にあっては、光ヘッドの移動に連動して光ヘッドと逆方向へ錘が移動するため、書き込み及び／又は読み取り時の質量バランスを維持することができ、書き込み及び／又は読み取り時の振動を低減できる。
【００２０】
また、本発明に係るディスク装置は、前記移動機構は回転が可能であり、その両端部に螺旋方向が逆となるねじ部を夫々有するねじ軸を備えており、このねじ軸の一方のねじ部に前記光ヘッドが相対回転可能に螺着され、他方のねじ部に前記錘が相対回転可能に螺着されていることを特徴とする。
【００２１】
この発明にあっては、１つのねじ軸により光ヘッド及び錘を逆方向へ移動させることができるため、移動機構の部品点数を低減できるとともに、支持体を軽量にでき、前記駆動手段の負荷を低減できる。
【００２２】
また、本発明に係るディスク装置は、前記ディスク装着部は前記支持体の回転方向と逆方向へ回転可能としてあり、該ディスク装着部を回転させる回転手段を備えていることを特徴とする。
【００２３】
この発明にあっては、光ヘッドを回転させつつディスクを光ヘッドと反対方向へ回転させることができるため、光ヘッドによる書き込み及び／又は読み取り速度をより一層高速にできる。
【発明の効果】
【００２４】
本発明によれば、ディスクの自己破壊回転数よりも高い回転数で光ヘッドを回転させることができ、ディスクを回転させる場合よりも高速の書き込み及び／又は読み取りを行うことができる。
【００２５】
また、本発明によれば、支持体の回転中心と前記記録トラックの中心とを簡易に一致させることができ、光ヘッドの書き込み及び／又は読み取り性能を高めることができる。
【００２６】
また、本発明によれば、ディスクを回転させる電動モータとは別個に光ヘッドを移動させる移動機構が設けられる場合に比べてディスク装置全体の小形化を図ることができる。
【００２７】
また、本発明によれば、書き込み及び／又は読み取り時の質量バランスを維持することができ、書き込み及び／又は読み取り時の振動を低減できる。
【００２８】
また、本発明によれば、移動機構の部品点数を低減できるとともに、支持体を軽量にでき、前記駆動手段の負荷を低減できる。
【００２９】
また、本発明によれば、光ヘッドによる書き込み及び／又は読み取り速度をより一層高速にできる。
【発明を実施するための最良の形態】
【００３０】
以下本発明をその実施の形態を示す図面に基づいて詳述する。
実施の形態１
図１は本発明に係るディスク装置の構成を示す一部を破断した概略正面図、図２は概略側面図、図３は要部の構成を示す概略斜視図である。
このディスク装置は基台としての静止部材１に移動可能に載置され、ディスクＡが装着されるディスク装着部２１を有する平板状のステージ２と、前記ディスクＡにデータの書き込み及び／又は読み取りを行う光ヘッド３と、該光ヘッド３をディスク装着部２１と平行的に移動可能に支持し、ディスク装着部２１と向き合う位置に回転可能に配置された支持体４と、該支持体４を回転させる駆動手段としての電動モータ５と、光ヘッド３を支持体４の回転中心線と交差する方向へ移動させる移動機構６と、ステージ２を光ヘッド３の移動方向及びこの移動方向と交差する方向へ移動させるための移動手段７とを備えている。
【００３１】
ステージ２は矩形の板体からなり、上面部に平坦な円形のディスク装着部２１が設けられており、一側面及び一側面と隣り合う他側面と静止部材１との間に２つの移動手段７，７が設けられている。
【００３２】
この移動手段７，７はステージ２の一側面２ａ及び他側面２ｂに設けられたラック歯７１，７１と、各ラック歯７１，７１に噛合するピニオン７２，７２と、静止部材１に取着され、各ピニオン７２，７２を回転させる電動モータ７３，７４とを備えており、電動モータ７３の駆動により、ステージ２を光ヘッド３の移動方向へ移動させ、電動モータ７４の駆動によりステージ２を光ヘッド３の移動方向と交差する方向へ移動させるように構成されている。
【００３３】
支持体４は矩形の箱部材からなり、下面がディスク装着部２１と平行的に向き合っており、上面の中央部に電動モータ５のモータ軸５１が結合されており、静止部材１に支持された電動モータ５の駆動によりディスク装着部２１と直交する軸線を中心として回転するように構成されており、支持体４内に光ヘッド３及び移動機構６が収容されており、また、光ヘッド３の移動を案内する案内条部４１、及び後記する錘８の移動を案内する案内条４２が支持体４の内部に設けられている。尚、電動モータ５は図示しない架台により静止部材１に支持されている。
【００３４】
移動機構６は、光ヘッド３の移動方向と平行的な位置に回転自在に支持されたねじ軸６１と、該ねじ軸６１を回転させる電動モータ６２とを備えている。ねじ軸６１は両端部に螺旋方向が逆となるねじ部６１ａ，６１ｂを有し、中央部にピニオン６１ｃを有しており、電動モータ６２のモータ軸６２ａに設けられた駆動歯車６３がピニオン６１ｃに噛合しており、電動モータ６２の駆動によりねじ軸６１が回転するようになっている。一方のねじ部６１ａには案内条部４１に係合する係合部３ａを有する光ヘッド３が螺着されており、他方のねじ部６１ｂには案内条部４２に係合する係合部８ａを有する錘８が螺着されており、ねじ軸６１の回転により光ヘッド３及び錘８が案内条部４１，４２に沿って逆方向へ移動するようになっている。尚、錘８は光ヘッド３と等しい質量になっており、支持体４の回転中心から光ヘッド３までの距離と等しい位置に螺着されている。
【００３５】
光ヘッド３は書き込むべきデータに対応して変調された光ビームをその光軸が支持体４の回転中心と平行となるように配置された対物レンズ３１に通し、小サイズの光スポットに集光してディスクＡの表面に形成された記録トラック上に投射し、該記録トラック上に反転磁区である記録マークを形成することで書き込みを行い、また、このディスクＡの表面からの反射光を対物レンズ３１で集光して取り出し、これをデータに変換処理することで読み取りを行うものであり、前記光ビームを光スポットに集光させる対物レンズ３１と、該対物レンズ３１を保持し、係合部３ａを有する保持部材３２と、対物レンズ３１の焦点位置を記録トラック上に合わせるべく対物レンズ３１をディスクＡの径方向及び焦点距離方向に微動させる位置制御手段とを備えている。この光ヘッド３の保持部材３２がねじ部６１ａに螺着されており、保持部材３２の係合部３ａが案内条部４１と係合することにより、保持部材３２の回転が阻止され、ねじ軸６１の回転に伴い該ねじ軸６１の軸線方向に移動するようになっている。
【００３６】
以上のように構成されたディスク装置は、ディスク装着部２１にディスクＡが回転しないように載置され、電動モータ５の駆動により支持体４が回転され、該支持体４に支持されている光ヘッド３がディスクＡに対して回転し、記録すべきデータに対応して変調された光ビームが光ヘッド３の対物レンズ３１により光スポットに集光され、対物レンズ３１からディスクＡ表面の記録トラック上に投射されることにより書き込みを行うことができる。この書き込みに伴い、光ヘッド３がディスクＡの径方向に位置を変えるように電動モータ６２が駆動され、該電動モータ６２によりねじ軸６１が回転し、ねじ部６１ａに螺着されている光ヘッド３が移動し、該光ヘッド３のディスクＡに対する位置が変化し、さらにねじ部６１ｂに螺着されている錘８が光ヘッド３の移動方向と逆方向に移動し、光ヘッド３の位置変化により生ずる質量バランスの変化を相殺することができ、振動の発生を防ぐことができる。また、上述の書き込みに伴い、光ヘッド３の位置制御手段により対物レンズ３１がディスクＡの径方向及び焦点距離方向に微動され、記録トラック上での焦点位置が制御される。この焦点位置の制御の過程で支持体４の回転中心と、記録トラックの中心との位置ずれが検出手段により検出され、検出結果に基づいて位置ずれ量がマイクロプロセッサからなる制御部で演算され、制御部から出力される制御信号により電動モータ７３，７４が駆動され、ステージ２が光ヘッド３の移動方向及び光ヘッド３の移動方向と交差する方向へ移動し、支持体４の回転中心位置と、記録トラックの中心位置とを合わせることができる。
【００３７】
以上のようにディスクＡは非回転であるため、遠心力によりディスクが自己破壊することはないのであり、また、光ヘッド３を支持した支持体４はディスクに比べて材料を自由に選定することができるとともに、厚さ寸法を自由に設定することができるため、遠心力によりディスクが自己破壊する回転速度よりも高速の回転負荷に耐えられるように形成することができる。また、移動手段７によりディスク装着部２１を移動させ、支持体４の回転中心位置と、記録トラックの中心位置とを合わせることができるため、前記位置制御手段による対物レンズの調整負担を低減することができ、高速回転に対応して記録トラック上での焦点位置を制御することができる。
【００３８】
実施の形態２
実施の形態２のディスク装置は、ディスク装着部２１を有するステージ２を支持体４の回転方向と逆方向に回転可能とし、該ステージ２を回転させる回転手段を備える構成とし、光ヘッド３及びディスクＡを互いに逆方向に回転させるようにしたものである。
【００３９】
実施の形態２において、ステージ２及び静止部材１の一方にはディスク装着部２１の中心と同心的に軸部が設けられており、ステージ２及び静止部材１の他方には前記軸部が内嵌される嵌合孔が設けられており、静止部材１に対してステージ２を回転可能としてある。また、回転手段は電動モータと、該電動モータの回転をステージ２に伝動する伝動機構とを備えている。この伝動機構は例えば前記軸部を回転可能とし、電動モータ５の回転を前記軸部に伝動するように構成するか、又は、ステージ２の円形周面に歯部を周設し、該歯部に噛合する伝動歯車を介して電動モータの回転がステージ２に伝動されるように構成する。
【００４０】
実施の形態２にあっては、光ヘッド３を支持した支持体４を回転させつつディスクＡが装着されたステージ２を支持体４と反対方向に回転させることができるため、換言すれば、ディスクＡを光ヘッド３と反対方向に回転させることができるため、光ヘッド３による書き込み及び／又は読み取り速度をより一層高速にできる。
その他の構成及び作用は実施の形態１と同様であるため、同様の部品については同じ符号を付し、その詳細な説明及び作用効果の説明を省略する。
【００４１】
尚、以上説明した実施の形態ではステージ２を光ヘッド３の移動方向及びこの移動方向と交差する方向へ移動可能に構成したが、その他、ステージ２を移動させる代わりに、光ヘッド３及び移動機構６をユニットとし、このユニットを光ヘッド３の移動方向及びこの移動方向と交差する方向へ移動可能に構成してもよい。
また、本発明に係るディスク装置は、ディスクにデータの書き込み及び読み取りを行う光ヘッドを備えた構成である他、書き込み又は読み取りを行う光ヘッドを備えた構成であってもよい。
【図面の簡単な説明】
【００４２】
【図１】本発明に係るディスク装置の構成を示す一部を破断した概略正面図である。
【図２】本発明に係るディスク装置の構成を示す概略側面図である。
【図３】本発明に係るディスク装置の要部の構成を示す概略斜視図である。
【符号の説明】
【００４３】
３    光ヘッド
４    支持体
５    電動モータ（駆動手段）
６    移動機構
６１  ねじ軸
６１ａ，６１ｂ  ねじ部
７    移動手段
８    錘
２１  ディスク装着部
Ａ    ディスク
【図１】
2005174373.tif 000003
【図２】
2005174373.tif 000004
【図３】
2005174373.tif 000005